(57)【要約】      （修正有）【課題】ヘアスタイリング装置を回転させずに、毛束にカールまたはウェーブとしての毛髪成形を行うことができるヘアスタイリング装置を提供する。【解決手段】ヘアスタイリング装置３は、毛束を収容および成形するために関節式に互いに対して調節可能な２本のアーム４、４．１と、毛髪成形工程のために成形対象の毛束と接触する成形プレート５、５．１を備えている。一方のアーム４はその成形プレート５が搭載された面に毛髪支持部６を備え、他方のアーム４．１は毛髪支持部６と成形プレート５の成形面との間のアーム収容部８内に導入されるように配置され、協働する両アームの成形プレート５、５．１を、ハサミのように互いに対して調節するだけで、成形対象の毛束が自動的にアーム収容部８に引き込まれ両アームの成形面に沿って引っ張られて毛髪成形されるので、ヘアスタイリング装置の回転させる必要がなく、取扱いが容易になる。【選択図】図２
2015020068.tif 000002
【特許請求の範囲】
【請求項１】
ヘアスタイリング装置であって、毛束（９）を収容および成形するために関節式に互いに対して調節可能な２本のアーム（４、４．１；１３、１３．１、１４、１４．１、１８、１８．１）を備えており、それぞれの前記アームの毛髪成形時に他方の前記アーム（４．１、４；１３、１３．１、１４、１４．１、１８、１８．１）に対向する面には、毛髪成形工程のために成形対象の前記毛束（９）と接触する成形面（２０、２０．１）を備えた成形プレート（５、５．１；２１、２１．１）が搭載されており、前記成形面（２０、２０．１）に沿って成形対象の毛髪が引っ張られる、ヘアスタイリング装置において、
前記両アームの一方（４、１３．１、１４．１）が、その前記成形プレート（５；２１、２１．１）が搭載された面に毛髪支持部（６、６．１、２５、２５．１）を備えており、前記他方のアーム（４．１、１３、１４、１８．１）を、前記毛髪支持部（６、６．１、２５、２５．１）と前記毛髪支持部（６、６．１、２５、２５．１）が搭載された前記アーム（４、１３．１、１４．１）の前記成形プレート（５；２１、２１．１）の前記成形面（２０、２０．１）との間のアーム収容部（８、１９）内に導入することができるように、また、毛髪成形のために協働する前記両アーム（４、４．１、１３、１３．１、１４、１４．１）の前記成形プレート（５、５．１、２０、２０．１、２３）をハサミのように互いに対して調節できるように、前記毛髪支持部（６、６．１、２５、２５．１）が前記アーム（４、１３、１３．１、１４、１４．１、１８、１８．１）の前記成形面（２０、２０．１）から距離をおいて配置されていることを特徴とする、ヘアスタイリング装置。
【請求項２】
前記両アーム（４、４．１、１３、１３．１、１４、１４．１、１８、１８．１）の前記成形面（２０、２０．１、２３）の平面が、前記アーム（４、４．１、１３、１３．１、１４、１４．１、１８、１８．１）の移動平面（Ｅ）に対して、前記アームの関節式の調節のために傾けられていることを特徴とする、請求項１に記載のヘアスタイリング装置。
【請求項３】
前記両アーム（４、４．１、１３、１３．１、１４、１４．１、１８、１８．１）の前記成形面の、前記アーム（４、４．１、１３、１３．１、１４、１４．１）の前記移動平面（Ｅ）に対する傾斜角度が、互いに対して、最大２０°で、特に１０°を超えない角度で傾いていることを特徴とする、請求項２に記載のヘアスタイリング装置。
【請求項４】
前記毛髪支持部（６、６．１、２５、２５．１）が搭載された前記アーム（４、１３．１、１４．１、１８、１８．１）に対して調節可能な前記アーム（４．１、１３、１４、１８、１８．１）が、前記毛束（９）をカール状またはウェーブ状に成形するのに適するように形成された外面（１１）を備えていることを特徴とする、請求項１ないし３のいずれか一項に記載のヘアスタイリング装置。
【請求項５】
カールまたはウェーブを成形するのに適した外面を備えた前記アーム（１４）の外面に、互いから距離をおいて、および前記アーム（１４）のハウジングの外側端部から距離をおいて配置された、前記アームの長さ方向に延在する複数の成形体（１５、１５．１、１５．２）が搭載されていることを特徴とする、請求項４に記載のヘアスタイリング装置。
【請求項６】
前記成形体（１５、１５．１、１５．２）が、その縦方向の延在部分に関して、いわば点状にのみ支持されており、その支持部の間の前記成形体の前記アーム（１４）に対向する面には自由空間が設けられていることを特徴とする、請求項５に記載のヘアスタイリング装置。
【請求項７】
前記成形体（１５、１５．１、１５．２）の端部側のみが支持されていることを特徴とする、請求項６に記載のヘアスタイリング装置。
【請求項８】
前記成形体（１５、１５．１、１５．２）が、ロッドとして具現化されていることを特徴とする、請求項５ないし７のいずれか一項に記載のヘアスタイリング装置。
【請求項９】
前記成形体（１５、１５．１、１５．２）の、引っ張られる前記毛髪の湾曲経路を画定する外側面部分が、それぞれの成形体（１５、１５．１、１５．２）における湾曲経路の曲率よりも大きい曲率を有していることを特徴とする、請求項５ないし８のいずれか一項に記載のヘアスタイリング装置。
【請求項１０】
前記成形体が異なる断面形状を備えていることを特徴とする、請求項５ないし９のいずれか一項に記載のヘアスタイリング装置。
【請求項１１】
前記成形対象の毛髪がその上を引っ張られる、少なくとも１つの最後の前記成形体が、前記成形体に沿って接触しながら引っ張られる前記毛髪が前記成形体に沿って、それぞれの上流の前記成形体との接触においての冷却よりも、より強い冷却を受けるように具現化されていることを特徴とする、請求項１０に記載のヘアスタイリング装置。
【請求項１２】
少なくとも１つの前記成形体の前記アームへ向かう方向に存在する自由空間の高さ、および／または少なくとも１つの前記成形体の隣接する前記成形体からの距離が設定可能であることを特徴とする、請求項６ないし１１のいずれか一項に記載のヘアスタイリング装置。
【請求項１３】
前記ヘアスタイリング装置が、冷却対象の前記毛髪に向けられる気流を生成するための、ファンを有していることを特徴とする、請求項５ないし１２のいずれか一項に記載のヘアスタイリング装置。
【請求項１４】
前記毛髪支持部（６、６．１）が、ブラケット（７、７．１）を用いて、前記毛髪支持部（６、６．１）が搭載された前記アーム（４、１３．１、１４．１）に接続されていることを特徴とする、請求項１ないし１３のいずれか一項に記載のヘアスタイリング装置。
【請求項１５】
前記アーム収容部（１９）が断面Ｖ字状またはほぼＶ字状に具現化されており、前記アーム収容部（１９）の両方の頂部が成形表面（２０、２０．１）を備えており、それぞれ前記アーム収容部（１９）の各前記頂部の他方の前記アーム（１８．１）に対向する端部が、それぞれ前記アーム収容部（１９）に関して対向して位置する前記頂部のための毛髪支持部（２５、２５．１）を形成しており、前記他方のアーム（１８．１）には、前記アーム（１８）の前記成形面２０、２０．１を補完するように具現化された２つの成形面（２３）が搭載されていることを特徴とする、請求項１ないし１４のいずれか一項に記載のヘアスタイリング装置。
【請求項１６】
前記アーム収容部（１９）を備えた前記アーム（１８）の両方の前記成形面（２０、２０．１）が、前記アーム収容部（１９）の頂部によって隔離された２つの成形プレート（２１、２１．１）の前記成形面（２０、２０．１）であることを特徴とする、請求項１５に記載のヘアスタイリング装置。
【発明の詳細な説明】
【技術分野】
【０００１】
本発明は、ヘアスタイリング装置に関する。このヘアスタイリング装置は、毛束を収容および成形するために関節式に互いに対して調節可能な２本のアームを備えており、それぞれのアームの毛髪成形時に他方のアームに対向する面には、毛髪成形工程のために成形対象の毛束と接触する成形面を備えた成形プレートが搭載されており、これらの成形面に沿って成形対象の毛髪が引っ張られる。
【背景技術】
【０００２】
カールヘアまたはウェーブヘアは、いわゆるヘアアイロン（ストレートアイロン）を用いても成形することができる。このような、通常は毛髪のストレート化に使用されるヘアスタイリング装置は、関節式にペンチのように互いに対して調節可能な２本のアームを有している。これらのアームのそれぞれには、それぞれ他方のアームに対向する面に成形プレートが搭載されている。典型的には両方の成形プレートが加熱されるが、成形プレートを加熱するために、１つもしくは複数の電気加熱素子、典型的にはＰＴＣ加熱素子および／または熱気流が使用される。成形プレートの間には、アームが関節式に配置されていることにより開口または閉鎖することができる毛髪成形隙間が設けられている。成形プレートの毛髪成形隙間に対向する面には、平らな表面が具備されている。毛髪をストレート化するために、この毛髪が閉鎖された毛髪成形隙間を通って引っ張られる。毛髪に加えられる熱によって、ストレート化過程が促進される。この種のヘアスタイリング装置は、カールまたはウェーブを成形するためにも用いられる。これが可能であるのは、このようなヘアスタイリング装置のアームが断面ほぼ半円形状または半楕円形状に具現化されており、加熱された毛髪を閉鎖されたアームの外面に巻き付けることができるからである。このような用途では、このようなストレートアイロンがカールアイロンのように使用される。アームの外面はその際、成形体として機能する。
【０００３】
ヘアスタイリング装置の両アームが関節式に互いに接続していることにより、成形面が互いに対向して一列に配置された状態のままで、これらのアームを互いに対して調節することができる。アームの調節によって成形面が互いから離間するように動かされると、互いに対向する成形プレートの間に毛束を収容することができる。続いて、アームがその閉鎖位置に移動され、この位置で、成形面を備えた成形プレートが成形面間に挟み込まれた毛束に作用する。毛束をカールまたはウェーブさせるために、この毛束をアームの外面を利用して毛髪成形隙間を通して引っ張らなければならない。このためには、毛束を挟み込んだ後、ヘアスタイリング装置を、所望の形を作るために成形体としてのその外面に沿って毛束を導くべき方向に、少なくとも９０°、しかし大抵の場合は１２０°を超えて回転させる必要がある。
【０００４】
この種のヘアスタイリング装置において、毛束を掴んだ後に、毛束が導いて通される回転方向に関わらずカールまたはウェーブとしての毛髪成形を行えるように、両アームの外面を成形体として構想し得るとしても、このヘアスタイリング装置には、その回転方向に応じてカールまたはウェーブの回転方向が異なるという欠点がある。典型的には、多数の毛束のカールまたはウェーブは同じ方向に回転しているのが望ましい。さらに困難なことに、このようなヘアスタイリング装置の取扱いでは、自己施術の際に毛束の収容およびヘアスタイリング装置の回転が鏡の前で行われるので、自らの動きを鏡を介して鏡面反転にしか見ることができない。
【発明の概要】
【発明が解決しようとする課題】
【０００５】
したがって、上述の従来技術に基づいて、本発明の基礎となる課題は、とりわけカールまたはウェーブの回転方向に関して同じ方向に毛髪成形が行われるという点で、カールまたはウェーブを成形するためのヘアスタイリング装置の取扱いが可能になるように、冒頭で挙げたヘアスタイリング装置を発展させることである。
【課題を解決するための手段】
【０００６】
本発明によれば、この課題が冒頭で挙げた汎用のヘアスタイリング装置によって解決される。この装置では、両アームのうちの一方が、成形プレートが搭載された面に毛髪支持部を備えている。毛髪支持部と毛髪支持部が搭載されたアームの成形プレートの成形面との間のアーム収容部に他方のアームを導入できるように、また、毛髪成形のために協働する両アームの成形プレートをハサミのように互いに対して調節できるように、毛髪支持部がこの一方のアームの成形面から距離をおいて配置されている。
【０００７】
既知のこの種のヘアスタイリング装置とは異なり、このヘアスタイリング装置では、両アームがハサミのように互いに対して調節可能である。つまり、両アームを、成形面の平面上で、または少なくともこの平面上に位置するベクトルの大部分を用いて、互いに対して調節する。その限りでは、このアームの旋回軸は、従来技術のヘアスタイリング装置においてのようには成形面の平面上には位置しておらず、この平面に対して特に７０°より大きい角度で傾斜している。さらに、両アームのうちの一方に、毛髪支持部が搭載されるように構成されている。この毛髪支持部は、成形プレートが搭載されたアームの面から間隔を空けており、しかもその距離が、他方のアームが毛髪支持部と毛髪支持部が搭載されたアームとの間に嵌め込まれるほどの大きさである。毛髪支持部は典型的に平行に、少なくともこのアームの成形プレートの縦方向の延在部分にわたって延在している。このヘアスタイリング装置の両アームの互いに対する前述のハサミ様の調節性により、毛髪支持部が搭載されていないアームを、このアームの成形面が他方のアームの成形面に隣接すると、その使用位置から旋回させることができる。少なくとも毛髪支持部上に、および毛髪支持部から間隔を空けて配置された毛髪支持部が搭載されたアームの面上に、毛束を支持できる程度の旋回性が与えられている。その場合、毛束が２点で支持される。ここで、毛髪支持部が搭載された第１のアームに対して旋回された他方の第２のアームがその使用位置に旋回して戻されると、前述の支持された配置にある毛束が、閉鎖する毛髪成形隙間内にこのアームと共に引き込まれる。この過程の際に、毛髪成形隙間を閉鎖するアームの外面に毛束が自動的に当接される。このヘアスタイリング装置のアームが、先に引き込まれた毛束と共に閉鎖されると、毛束がアームの外面に設けられた当接部に位置するので、成形対象の毛髪を成形体として機能するアームの外面に当接させるためにヘアスタイリング装置を回転させる必要がもはやなくなる。その結果、取扱いが容易になるが、このことは毛髪成形を行う人が自らの毛髪を成形し、この目的のために鏡で自身を見なければならない場合にとりわけ顕著になる。
【０００８】
特に実用的な構成では、両アームの成形プレートの成形面の平面が、それらのアームの移動平面に対して傾けられている。成形面の平面をより大きい傾斜角度で配置すれば、アームの成形体として機能する外面上での成形対象の毛束の当接が、より僅かな角度にわたってのみ延在するようになる。典型的には、使用者はアームの外面を可能な限り成形輪郭として利用しようと努める。
【０００９】
毛髪支持部が搭載されていないアームの外面は、相応に形成されているか、または相応の要素を備えており、これらの要素の上を引っ張られる、先に成形プレート間で加熱された毛束を、これらの要素に沿ってまたはこれを用いて所望の形にすることができるものと理解される。成形のために使用されるアームの外面に、互いから距離をおいて、およびこのアームのハウジングの外側端部から距離をおいて配置され、アームの縦方向の延在部分に延在する複数の成形体が搭載されていれば、前述のヘアスタイリング装置を用いて特に効果的な毛髪成形を達成することができる。このような構成を用いて実行することができる毛髪成形方法では、まずは成形対象の毛髪が、毛髪ケラチン鎖が含む硫黄架橋の少なくとも大部分が分解されるまで加熱され、続いて、加熱された毛髪を、互いから距離をおいて配置された複数の成形体に沿って接触させながら引っ張ることによって毛髪成形が実行され、毛髪が少なくとも第１の成形体との接触の際にはまだ、硫黄架橋の少なくとも大部分がまだ再結合されない温度を有している。この場合、成形体に沿って引っ張られる毛髪の移動経路が湾曲経路に相当するように、またはそれに近似するように、成形体が互いに対して配置されており、毛髪が最後の毛髪成形体から離れる前に、分解された硫黄架橋の少なくとも大部分が既に再び新たに結合される温度にまで毛髪が冷却される。
【００１０】
この方法では、ケラチン鎖に含まれる、タンパク質ストランドを互いに結合させる硫黄架橋の少なくとも大部分が分解される程度にまで毛髪が加熱される。この毛髪の状態で、毛髪を成形、保持、続いて冷却することにより、変更された髪型が「凍結」される。これは、まだ成形過程の間に、およびよって毛髪施術の間に硫黄架橋が新たに形成され、したがってタンパク質ストランドを毛髪の形に応じて新たに結合することによって達成される。カールまたはウェーブをかけられる毛髪は成形体に沿って引っ張られるので、また、毛髪が引張方向における最後の成形体との接触から離れる際には、少なくとも大多数の硫黄架橋が再び形成される温度にまで毛髪が既に冷却されるように構成されているので、毛髪がその成形後にいわば焼き入れされる。その際、毛髪を周囲温度にまで冷却する必要はない。むしろ、硫黄架橋が新たに結合する温度までの冷却だけで、従来の方法と比べてより持続的な毛髪成形を実現するのに全く十分であることが驚くべきことに確認された。前述の結果が驚くべきであるのは、優勢な定説が、所望のカールまたはウェーブを得るために、例えばカーラーまたはカールアイロン上に保持されたカールを大幅により低い温度レベルにまで冷却することを必要とみなすことに基づいているからである。毛髪成形のために使用されるヘアスタイリング装置においての急速冷却自体によって、取扱いの際に必要な引張工程によって毛髪が新たに引張荷重にさらされる前に、少なくとも大部分の硫黄架橋が形の凍結のために既に再び形成されるようになる。そのため、成形された毛髪に対するこの不可避の引張応力は、成形された毛髪に対して重要な影響を与えない。
【００１１】
成形された毛髪の急速冷却を可能にするために、成形体は、成形体に沿って接触しながら引っ張られる毛髪の移動経路に対して、互いから間隔を空けている。これによって、毛髪が通過した湾曲経路に対して径方向に外側へ、および成形体の間の空間において内側へ、成形体が搭載されたアームへ向かう方向においても、毛髪からの熱放射が可能になる。その限りでは、成形体が、加熱された毛髪がその上を引っ張られる支持部を形成する。その限りでは、毛髪は支持部として機能する成形体の間に自由に垂れ下がっており、成形体の表面には当接していない。毛髪成形隙間の始点を起点として最後の成形体との接触から離れるまでの毛髪の経路は、湾曲経路を示している。湾曲経路の構成に応じて、つまり、成形体の互いに対する配置に応じて、より大きいカールまたはより小さいカールを成形することができる。また、湾曲経路は、設けられる成形体の数によっても影響される。成形対象の毛髪が成形体に沿って接触しながら引っ張られることによって、この毛髪が、少なくとも大部分の硫黄架橋がこの形の固定のために再び結合する程度に冷却過程が進行するまで、所望の形で漸進的に引っ張られた状態で保持される。
【００１２】
前述の方法を実行するためのヘアスタイリング装置の設計の簡単な一形態では、加熱された毛髪が毛髪成形隙間から出てくる側の、成形プレートに隣接するアームの縁部を、成形体として使用してもよい。この縁部は、実用的には丸められている。その場合、前述の方法で毛髪を導いてアームのハウジングから距離をおいて保持するために、たった１つの追加の成形体が必要になる。しかし、実用的には、湾曲経路をより良好により長く形成するために、複数の、典型的には３から５つの成形体が使用される。その際、アームの前述の縁部が同様に成形体として前述の意味で使用されるようにもちろん構成することができる。
【００１３】
好適には、毛髪が最後の成形体から離れる際に、少なくとも１０℃、好適には１５℃を超え２０℃まで、毛髪のケラチン鎖に含まれている硫黄架橋が分解される温度よりも低い温度で毛髪の冷却が行われるようにこの方法が実施される。これを成形対象の毛髪の質に応じて、毛髪の質に適合した加熱を介して、および／またはヘアスタイリング装置が毛髪を通るように動かされる引張速度を介して制御することができる。アームの両方の成形プレート間の毛髪成形隙間に位置する毛髪に加えられる圧力を介しても、方法の運用に影響を与えることができる。
【００１４】
冷却を促進するために、気流を使用することができる。
【００１５】
特に効果的な毛髪の冷却では、成形体が点状にのみ支持されており、したがって、成形体のアームに対向する面には自由空間が存在している。これにより、その方向に熱を放出可能な成形体を介しての毛髪の冷却が実現されるだけでなく、とりわけ、ヘアスタイリング装置のこのアームの周りに導かれた毛髪またはヘアスタイリング装置のこのアームの周りに導かれた毛束とハウジング外面との間の領域においての空気交換もまた実現される。毛髪と成形体が搭載されたアームの外面との間の乱気流およびそれに伴う空気交換は、既に引張工程によってもたらされ、この乱気流によって、毛髪から放出される熱が除去されて冷たい周囲空気が供給される。
【００１６】
一実施例によれば、成形体がロッドとして具現化されている。
【００１７】
毛髪の引張方向において、とりわけ成形体のアームに対向する面が自由空間に隣接している場合、成形体が異なる断面形状を備えるようにすることが原理的に可能である。したがって、例えば、少なくとも最後に毛髪と接触する成形体がより大きい毛髪との接触面を有することにより、熱除去によって最後の温度低下をもたらすことができる。このような成形体は、例えば１つまたは複数の冷却リブのように、比較的より大きい熱放出表面をも有していることが実用的である。
【００１８】
典型的には、毛髪が第１の成形体の上を接触しながら導かれる際に、硫黄架橋がケラチン鎖の再構成のために成形に対応して再び結合する温度を下回る程には、毛髪がまだ冷却されないように、少なくとも１つまたは複数の第１の成形体が形成され配置されている。
【００１９】
以下では本発明を、実施例に基づいて添付図面を参照しながら説明する。これらの実施例から、本発明のさらなる利点が明らかになる。
【図面の簡単な説明】
【００２０】
【図１】従来技術によるヘアスタイリング装置のアームの関節式の調節性を示す概略図。
【図２】本発明によるヘアスタイリング装置のアームの調節性を示す概略図。
【図３】成形対象の毛束を収容するための開口位置にある図２のヘアスタイリング装置の図。
【図４】毛髪成形工程の際に毛束を収容した図３のヘアスタイリング装置の図。
【図５】別の構成による本発明によるヘアスタイリング装置の図。
【図６】さらに別の構成による本発明によるヘアスタイリング装置の図。
【図７】図６のヘアスタイリング装置のアームの側面図。
【図８】別の構成における本発明によるヘアスタイリング装置の斜視図。
【図９】ヘアスタイリング装置のアームのアーム収容部内を見た、一視点からの図８のヘアスタイリング装置の図。
【図１０】アームが閉鎖された図８および図９のヘアスタイリング装置の斜視図。
【発明を実施するための形態】
【００２１】
図１に示すように、従来技術による、いわゆるストレートアイロンとして具現化されたヘアスタイリング装置は、２本のアーム１、１．１を有している。アームの互いに対向する面には、それぞれ成形プレート２、２．１が設けられている。これらの成形プレート２、２．１が加熱される。加熱された成形プレートに沿って引っ張られることによって加熱される毛束を収容するために、両アーム１、１．１は、図１の左側にブロック矢印で示されているように、ペンチのように互いに対して調節可能である。このヘアスタイリング装置の両アーム１、１．１の図１の右側に示された開口位置では、毛束が成形プレート２、２．１の間に位置する開口された毛髪成形隙間内に挟み込まれる。続いて、アーム１、１．１が毛髪成形過程を実行するために閉鎖される。両アームの関節式の互いとの結合の旋回軸は、成形プレート２、２．１によってもたらされる成形面の平面上に位置している。この旋回軸が、図中に符号Ｓで示されている。
【００２２】
本発明によるヘアスタイリング装置３は、同様に２本のアーム４、４．１を有しており、それぞれのアームが１つまたは複数の加熱素子によって加熱される成形プレート５、５．１を備えている。閉鎖位置において、このヘアスタイリング装置３は、成形プレート５、５．１の互いに対向する平行な成形面の隣接の点では、従来技術によるヘアスタイリング装置の閉鎖位置と異なっていない。ヘアスタイリング装置３は、とりわけ両アーム４、４．１の関節式の結合の点で既知のヘアスタイリング装置と異なっている。ヘアスタイリング装置３では、アーム４、４．１がハサミのように関節式に互いに対して調節可能である。つまり、両アーム４、４．１を、毛髪成形隙間を開口および閉鎖するためにハサミの動作のように調節することができる。したがって、両アームが互いに対して調節される移動平面は、成形プレート５、５．１の成形面の平面に交差して、または基本的に交差して位置している。図示の実施例では、成形プレート５、５．１の成形面が移動経路Ｅの平面に対して傾いており、しかもその傾斜角度が約１０°である。旋回軸は図２の右側に同様に符号Ｓで示されている。互いに対する両アーム４、４．１の関節式の調節性は、ヘアスタイリング装置３の閉鎖位置（図２の左側参照）と開口位置（図２の右側参照）との比較によって特に明確になる。アーム４、４．１の移動経路Ｅに対する成形プレート５、５．１の成形面の傾いた配向によって、毛髪成形隙間をこの傾斜に対応して開口および閉鎖することができる。また、これにより、成形プレート５、５．１の間の毛髪成形隙間内に挟み込まれた毛束にある一定の圧力を加えることが可能になる。
【００２３】
アーム４には、バーとして具現化された毛髪支持部６が搭載されている。毛髪支持部６は、図示の実施例では金属棒である。毛髪支持部６は、ブラケット７を介してヘアスタイリング装置３のアーム４に接続されている。その限りでは、支持するブラケット７およびアーム４と共に毛髪支持部６によってアーム収容部８が形成される。アーム収容部８は、アーム４．１をヘアスタイリング装置の閉鎖位置において収容するために使用される。この理由から、毛髪支持部６とアーム４との間の間隔は相応に大きい。ヘアスタイリング装置の取扱性を損なわないように、通常、この間隔は、アーム４．１を嵌め込むために実際に必要であるよりもほんの僅かに大きく選定される。毛髪支持部６は、成形プレート５の縦方向の延在部分に平行に、さらにその長さにわたって延在している。図２に示されたヘアスタイリング装置３の位置では、毛髪支持部６の上縁が、同じ方向に向けられたアーム４の上端とほぼ同じ平面上に位置している。
【００２４】
図３は、成形対象の毛束９の収容工程の際の開口位置におけるヘアスタイリング装置３の概略図である。この開口位置では、毛髪支持部６の上面およびアーム４のハウジングの他方のアーム４．１に対向する面が、それぞれ毛束９のための支持部を形成している。したがって、ブラケット７によって縁取られたアーム収容部８に、毛束９が２点支持によって架け渡されている。頭部自体は、図３内に符号１０で示されている。
【００２５】
ここで、成形過程を実行するために、ヘアスタイリング装置３を閉鎖すれば、アーム４．１がアーム４に対する旋回軸Ｓ周りの自身の旋回によって、アーム収容部８に導入される。この移動と共に毛束９もまたアーム収容部８内に引き込まれて、この過程の際に、アーム４．１の外面１１周りに、または外面１１の一部分に巻き付く。アーム４．１の外面１１は、その上で毛髪成形を行えるように構成されており、したがって、成形体として形成されているか、またはこの目的のために外面１１には１つもしくは複数の成形体が搭載されている。
【００２６】
図４に示すように、成形プレート５、５．１の間に位置する毛髪成形隙間が閉鎖されると、毛束をヘアスタイリング装置３の毛髪成形隙間を通して相応に引っ張ることによって、および加熱された毛束９がアーム４．１の外面１１に沿って自動的に引っ張られることによって、毛髪成形過程を行うことができる。
【００２７】
有利には、本明細書の導入部で説明した方法が、持続的な毛髪成形を目的として実行されるように、ヘアスタイリング装置３の温度管理が実施される。図示の実施例では、とりわけ、下方に向けられた、成形プレート５．１と平行に延在するアーム４．１のハウジングの縁部が成形体として機能する。この方法では、毛髪ケラチン鎖内の硫黄架橋がアーム４の外側の成形に対応して新たに結合されるまで、毛束９がアーム４．１の外面１１から離れないことが重要である。外面に沿って毛束９が引っ張られることによって、アーム４．１の外面１１と接触する内面より、外面においてより大きい引張応力が支配するので、毛髪ケラチン鎖がその硫黄架橋を用いて相応に結合することにより、ウェーブまたはカールが特に長持ちする。
【００２８】
冷却過程を促進するために、図５に示す別の構成による本発明によるヘアスタイリング装置３．１は、冷却体１２を有している。図５に示す実施例では、冷却体１２が、毛髪支持部６．１が搭載されていないヘアスタイリング装置３．１のアーム１３に配置されている。毛髪支持部６．１が搭載されたアームは符号１３．１で識別されている。冷却体１２は金属片であり、毛髪成形隙間から加熱されて導出される毛髪がこの金属片に沿って引っ張られる。冷却体１２上での冷却は、図２から図４の実施例に関して説明されるようなアーム１３の外面上のみの冷却よりも急速に行われる。
【００２９】
図６および図７は、さらに、本発明によるヘアスタイリング装置３．２の別の実施例を示している。このヘアスタイリング装置のアーム１４には、ヘアスタイリング装置３．１のアーム１３とは異なり、その外面に複数の冷却体、この場合は３つの冷却体１５、１５．１、１５．２が搭載されている。冷却体１５、１５．１、１５．２は金属ロッドとして構想されており、それぞれの端部がアーチ部１６内に保持されている。上面図のため、冷却体１５のアーチ部１６のみがその引用符号で識別されている。冷却体１２と同様に、冷却体１５、１５．１、１５．２は、それぞれのアーム１３または１４の外面と平行な縦方向の延在部分において、および少なくともアーム１３または１４の成形プレートの縦方向の延在部分にわたる長さにおいて延在している。冷却体１５、１５．１、１５．２は互いに対して間隔をおいて、さらにアーム１４の表面１７から間隔をおいて配置されている。そうすれば、図４の図示内容に対応して冷却体１５、１５．１、１５．２の外側の頂部上を超えて引っ張られる毛束は、熱を径方向に外側にだけでなく表面１７の方向に内側へも放出することができる。これによって、特に効果的な冷却がもたらされる。図７は、ヘアスタイリング装置３．２のアーム１４の側面図である。図７より、冷却体１５、１５．１の縦方向の延在部分がはっきりと分かる。
【００３０】
ヘアスタイリング装置３．１および３．２の実施例は、前述の特別な毛髪成形方法の実行に特に適している。この方法によれば、ケラチン鎖を結合する硫黄架橋およびそれとともに存在する水素架橋および塩橋が加熱によって分解される温度にまで、成形対象の毛束が加熱され、またこの方法によれば、少なくとも硫黄架橋が新たに結合される温度にまで毛束が冷却されるまで毛束が冷却体または冷却体配列から離れない。しかし好適には、水素架橋および塩橋も既に新たに結合される程度にまで毛束が冷却されてから、毛束が冷却体配列の冷却体または最後の冷却体から離れる。
【００３１】
図８は、別のヘアスタイリング装置３．３の斜視図であり、このヘアスタイリング装置は、先行する実施例において説明したヘアスタイリング装置３、３．１、３．２と同じ原理に従って機能する。ヘアスタイリング装置３．３は、両面が作用するように設計されている点で、前述のヘアスタイリング装置の発展形を示している。ヘアスタイリング装置３．３は同様に、関節式に互いに対して調節可能な２本のアーム１８、１８．１を有している。図８の図示内容では、アーム１８、１８．１が開口されたヘアスタイリング装置３．３が示されている。アーム１８はアーム収容部１９を有している。図９からの方が分かりやすいが、アーム収容部１９はＶ字状に形成されている。アーム収容部１９は両面が縁取りされており、したがって、アーム収容部１９の頂部がそれぞれ成形面２０、２０．１によって縁取りされている。成形面２０、２０．１は、それぞれ、毛髪成形に利用される表面、各成形プレート２１、２１．１である。成形プレート２１、２１．１の少なくとも一方が、ヘアスタイリング装置３の運用の際に加熱される。アーム収容部１９の頂部の領域では成形プレート２１、２１．１が互いから間隔を空けている。頂部のこの間隔領域には、一列に配置された、アーム収容部１９の縦方向の延在部分に沿った複数の貫通部２２が配置されている。貫通部２２はアーム１８を通過して延びている。
【００３２】
アーム１８．１には補完的な成形面２３が搭載されており、図９では成形面２０を補完する成形面２３のみを見ることができる。アーム１８．１の図９では見られない面には、成形面２０．１を補完する成形面も位置している。アーム１８．１の両方の成形面２３は、頂部２４を形成することによって形成される半径を介して互いに面一に移行する。成形面２０、２０．１および２３は、アーム１８、１８．１が閉鎖される際に互いに接触するように配置されている。ヘアスタイリング装置３．３の使用時には、成形面２０、２０．１、２３の間に成形対象の毛束が位置する。ヘアスタイリング装置３、３．１、３．２の場合と同様に、一方のアーム、すなわちアーム１８の成形面２０、２０．１が、他方のアーム、すなわちアーム１８．１の成形面に対して、ハサミのように互いに対して動かされる。この目的のため、成形面２３と同様に成形面２０、２０．１は、両アーム１８、１８．１の旋回軸に対し互いに対して傾いており、しかも、ヘアスタイリング装置３、３．１、３．２の先行する実施例に関して説明したのと同様に傾いている。
【００３３】
図９のヘアスタイリング装置３．３の図示内容から明らかであるように、成形プレート２０または２０．１が搭載されたアーム部分２６、２６．１のそれぞれの上端２５、２５．１が、それぞれの他方のアーム部分２６．１または２６のための毛髪支持部を形成することにより、先行する実施例に関して既に説明したのと同様の方法で、毛束をアーム収容部１９内に導入することができる。
【００３４】
図１０は、アーム１８、１８．１が閉鎖されたヘアスタイリング装置３．３を示している。両アーム１８、１８．１のこの位置は、毛髪成形位置を形成する。アーム収容部１９には、成形面２３を備えたアーム１８．１が導入されている。アーム１８．１の成形面２３は、アーム１８の成形プレート２１または２１．１の補完的な成形面２０または２０．１に当接している。
【００３５】
図１０内に見られるアーム１８．１の上面には冷却表面２７が具備されている。この冷却表面２７は、後に接触しながらこの表面２７上を超えて動かされる、アーム収容部１９を通って引っ張られる毛髪を冷却するため、しかも、先行する実施例の冷却体に基づいて既に説明したような方法で冷却するために使用される。
【００３６】
ヘアスタイリング装置３．３における利点は、毛髪をカールさせるためにこのヘアスタイリング装置を両方の方向に回転させて使用することができる点である。
【００３７】
アーム１８．１の成形面２３の加熱において可能な一構成では、この成形面が協働して機能し、１つまたは複数のペルティエ素子の加熱のために使用される。この構想では、例えば成形面２０および２３のようなたった１つの成形面対が加熱される場合、所望の毛髪成形にとって十分であることが利用される。したがって、ヘアスタイリング装置３．３のこのような構想では、アーム１８．１の加熱されていない成形表面２３を冷却面として運用することができる。その限りでは、このような運用方法では、電力消費も低減される。というのは、このようにすれば、アーム１８．１の加熱されていない成形面を介して毛髪から除去される熱が、他方の成形面の加熱に利用されるからである。
【００３８】
本発明を、実施例に基づいて図面を参照しながら説明した。当業者には、本発明を有効な請求項の枠内で実現することができる、多数のさらなる可能な構成が明らかである。
【符号の説明】
【００３９】
１、１．１  アーム
２、２．１  成形プレート
３、３．１、３．２  ヘアスタイリング装置
４、４．１  アーム
５、５．１  成形プレート
６  毛髪支持部
７  ブラケット
８  アーム収容部
９  毛束
１０  頭部
１１  外面
１２  冷却体
１３、１３．１  アーム
１４、１４．１  アーム
１５、１５．１、１５．２  冷却体
１６  アーチ部
１７  表面
１８、１８．１  アーム
１９  アーム収容部
２０、２０．１  成形面
２１、２１．１  成形プレート
２２  貫通部
２３  成形面
２４  頂部
２５、２５．１  上端／毛髪支持部
２６、２６．１  アーム部分
２７  冷却表面
Ｅ  移動平面
Ｓ  旋回軸
【図１】
2015020068.tif 000003
【図２】
2015020068.tif 000004
【図３】
2015020068.tif 000005
【図４】
2015020068.tif 000006
【図５】
2015020068.tif 000007
【図６】
2015020068.tif 000008
【図７】
2015020068.tif 000009
【図８】
2015020068.tif 000010
【図９】
2015020068.tif 000011
【図１０】
2015020068.tif 000012